(57)【要約】【課題】電解液の注入性を維持し、且つ、陰極吸収反応を適正に保つ。【解決手段】密閉式鉛蓄電池１は、隔壁２１により、内部が複数のセル室５０に区画された電槽１０と、前記各セル室５０に収容される極板群３０とを含む、密閉式鉛蓄電池１であって、前記極板群３０は、前記複数のセル室５０の並び方向に配列された正負の極板３１Ａ、３１Ｂと、前記正負の極板３１Ａ、３１Ｂを仕切るセパレータ３３とを含み、  前記隔壁２１は、中空部２７と、前記中空部２７の前記並び方向両側に配置された一対の壁体２４とを有し、更に、前記隔壁２４は、前記極板３１の高さ方向において、前記極板３１の略全体と対向しており、前記極板群３０との間から電解液Ｑを注入する注入通路Ｓを有する。【選択図】図８
2015069965.tif 000002
【特許請求の範囲】
【請求項１】
隔壁により、内部が複数のセル室に区画された電槽と、
前記各セル室に収容される極板群とを含む、密閉式鉛蓄電池であって、
前記極板群は、前記複数のセル室の並び方向に配列された正負の極板と、前記正負の極板を仕切るセパレータとを含み、
前記隔壁は、中空部と、前記中空部の前記並び方向両側に配置された一対の壁体とを有し、
更に、前記隔壁は、前記極板の高さ方向において、前記極板の略全体と対向しており、前記極板群との間から電解液を注入する注入通路を有する密閉式鉛蓄電池。
【請求項２】
請求項１に記載の密閉式鉛電池であって、
前記壁体は、前記極板の略面全体と対向している、密閉式鉛蓄電池。
【請求項３】
請求項１又は請求項２に記載の密閉式鉛蓄電池であって、
前記極板と接続され、互いに隣接する前記セル室同士を直列に接続するセル間接続体をさらに備え、
前記隔壁は、互いに異なる前記セル室に配置された前記セル間接続体同士を接続する接続用隔壁を有し、
前記一対の壁体は、前記接続用隔壁から分岐している密閉式鉛蓄電池。
【請求項４】
請求項１ないし請求項３のいずれか一項に記載の密閉式鉛蓄電池であって、
前記壁体の前記極板との対向面にリブを設けることにより、前記極板群との間に前記注入通路を形成する密閉式鉛蓄電池。
【請求項５】
請求項１ないし請求項４のいずれか一項に記載の密閉式鉛蓄電池であって、
前記中空部に配置され、前記一対の壁体を連結する連結部を有する、密閉式鉛蓄電池。
【請求項６】
請求項１ないし請求項５のいずれか一項に記載の密閉式鉛蓄電池であって、
前記電槽に形成された複数の隔壁に対して、１つ飛びで前記二重隔壁を形成する密閉式鉛蓄電池。
【請求項７】
請求項１ないし請求項６のいずれか一項に記載の密閉式鉛蓄電池であって、
前記セパレータは、電解液を保持可能なマットセパレータであり、前記電槽の前記並び方向に沿った内側面に接触している密閉式鉛蓄電池。
【発明の詳細な説明】
【技術分野】
【０００１】
本発明は、密閉式鉛蓄電池に関する。
【背景技術】
【０００２】
電池の低コスト化などを目的として、極板の枚数を削減することがあるが、電槽のサイズを変えずに極板の枚数を削減すると、密閉式鉛蓄電池では、極板群を圧迫する力が小さくなってしまい、電池性能に影響を及ぼす。そこで、下記特許文献１では、電槽を仕切る隔壁を二重構造（中空構造）にして、極板群を収容する空間を小さくすることにより、極板群を圧迫する力を調整している。また、下記特許文献２では、電解液の注入性を向上させるため、隔壁の上部側に複数の垂直リブを形成することにより、隔壁上部側に電解液の注入通路を形成する点が記載されている。
【先行技術文献】
【特許文献】
【０００３】
【特許文献１】実開昭５２−１０８５４２号公報
【０００４】
【特許文献２】特許第５０７７７９２号公報
【発明の概要】
【発明が解決しようとする課題】
【０００５】
特許文献２では、隔壁下部は二重構造となっていて、極板群を収容する空間が小さいため、極板が空気に触れる面積は小さい。しかし、二重構造となっていない隔壁上部では、極板群を収容する空間が一部（垂直リブが形成されていない部分）で広くなることから、端の極板が空気に触れ易くなる。密閉式の鉛蓄電池では、電槽内に遊離液がほとんど存在していないため、極板群を収容する空間が広くなると、端の極板との間に隙間が出来易く、端の極板が空気に触れ易くなる。そのため、負極板での陰極吸収反応が高くなり、電池は放電傾向になる。
本発明は上記のような事情に基づいて完成されたものであって、電解液の注入性を維持し、且つ、負極板が空気に触れ易くなるのを抑えることにより陰極吸収反応を適正に保つことを目的とする。
【課題を解決するための手段】
【０００６】
本明細書によって開示される密閉式鉛蓄電池は、隔壁により、内部が複数のセル室に区画された電槽と、前記各セル室に収容される極板群とを含む、密閉式鉛蓄電池であって、前記極板群は、前記複数のセル室の並び方向に配列された正負の極板と、前記正負の極板を仕切るセパレータとを含み、前記隔壁は、中空部と前記中空部の前記並び方向両側に配置された一対の壁体とを有し、更に、前記隔壁は、高さ方向において、前記極板の略全体と対向しており、前記極板群との間から電解液を注入する注入通路を有する。
【発明の効果】
【０００７】
本明細書によって開示される密閉式鉛蓄電池によれば、電解液の注入性を維持し、且つ、陰極吸収反応を適正に保つことが出来る。
【図面の簡単な説明】
【０００８】
【図１】実施形態１に係る鉛蓄電池の斜視図
【図２】電槽の斜視図
【図３】極板群を収容した電槽の平面図
【図４】図１のＡ−Ａ線断面図（蓋部材は省略）
【図５】極板群を収容した電槽の平面図（ストラップは省略）
【図６】図３のＢ−Ｂ線断面図
【図７】電槽の底面図
【図８】図５のＣ部を拡大した図
【図９】図５のＤ−Ｄ線断面図
【図１０】図６のＧ部を拡大した図
【図１１】実施形態２において極板群を収容した電槽の平面図
【図１２】図１１のＢ−Ｂ線断面図
【図１３】実施形態３において極板群を収容した電槽の平面図
【図１４】極板群を収容した電槽の平面図（ストラップは省略）
【図１５】図１３のＢ−Ｂ線断面図
【図１６】注入通路の他の構成例を示す断面図
【発明を実施するための形態】
【０００９】
（本実施形態の概要）
初めに、本実施形態の密閉式鉛蓄電池の概要について説明する。本密閉式鉛蓄電池は、隔壁により、内部が複数のセル室に区画された電槽と、前記各セル室に収容される極板群とを含む、密閉式鉛蓄電池であって、前記極板群は、前記複数のセル室の並び方向に配列された正負の極板と、前記正負の極板を仕切るセパレータとを含み、前記隔壁は、中空部と、前記中空部の前記並び方向両側に配置された一対の壁体とを有し、更に、前記隔壁は、前記極板の高さ方向において、前記極板の略全体と対向しており、前記極板群との間から電解液を注入する注入通路を有する。
【００１０】
この構成では、極板との間に電解液の注入通路を形成しているので、電解液が電槽内部に浸透し易く注入性がよい。また、隔壁は、極板の高さ方向において、極板の略全体と対向する範囲を、一対の壁体からなる二重隔壁にしている。そのため、極板群を収容する空間が小さくなり、高さ方向において極板群の全体を圧迫出来る。従って、隔壁下部だけを二重隔壁構造にする場合に比べて、高さ方向の略全体で、セパレータが拡がり難くなることから、極板が空気に触れ難くなる。よって、負極板での陰極吸収反応を適正に保つことが可能となり、電池性能を維持することが出来る。加えて、極板と壁体との間も、隙間がほとんどできない。そのため、極板が一層空気に触れ難くなるので、負極板での陰極吸収反応を適正に保つことが可能となる。
【００１１】
本密閉式鉛蓄電池では、前記壁体は、前記極板の略面全体と対向する。この構成では、壁体が、極板の略面全体を圧迫するため、セパレータが一層拡がり難くなる。そのため、
面全体でセパレータが拡がり難くなることから、極板が空気に触れ難くなる。従って、負極板での陰極吸収反応を適正に保つことが可能となる。加えて、極板と壁体との間も、略面全体で隙間がほとんどできない。そのため、極板が一層空気に触れ難くなるので、負極板での陰極吸収反応を適正に保つことが可能となる。
【００１２】
本密閉式鉛蓄電池では、前記極板と接続され、互いに隣接する前記セル室同士を直列に接続するセル間接続体をさらに備え、前記隔壁は、互いに異なる前記セル室に配置された前記セル間接続体同士を接続する接続用隔壁を有し、前記一対の壁体は、前記接続用隔壁から分岐している。この構成では、中空部を介することなく互いに隣接するセル室同士を接続することができるため、密閉性を損ねることがない。
【００１３】
本密閉式鉛蓄電池では、前記壁体の前記極板との対向面にリブを設けることにより、前記極板群との間に前記注入通路を形成する。この構成では、リブを設けるだけで、注入通路を形成することが出来る。
【００１４】
本密閉式鉛蓄電池では、前記中空部に配置され、前記一対の壁体を、連結部を用いて連結する。このようにすれば、セル室に極板群を挿入した時に、二重隔壁が撓み難くなる。そのため、セル室に収容した極板群を、隔壁により所望の圧迫量で確実に圧迫出来る。
【００１５】
本密閉式鉛蓄電池では、前記電槽に形成された複数の隔壁に対して、１つ飛びで前記二重隔壁を形成する。中空部の幅を大きくすることが出来るので、電槽の成形性がよい。
【００１６】
本密閉式鉛蓄電池では、前記セパレータは、電解液を保持可能なマットセパレータであり、前記電槽の前記並び方向に沿った内側面に接触している。密閉式鉛蓄電池は、充放電反応により酸素ガスが発生することに伴って、電解液の一部が、マットセパレータの保持を外れてフリーになる。この構成では、フリーになった電解液が、極板の並び方向と交差する幅方向の両側を流動するのを抑制することができる。
【００１７】
＜実施形態１＞
実施形態１を図１ないし図１０によって説明する。
１．鉛蓄電池の構造
鉛蓄電池１は、例えば二輪自動車等に搭載される密閉式鉛蓄電池であり、図１〜図３に示すように、電槽１０と、極板群３０と、ストラップ４０と、蓋部材６０を備える。尚、以下の説明において、電槽１０の横幅方向をＸ方向とし、電槽１０の奥行方向をＹ方向、高さ方向をＺ方向とする。
【００１８】
電槽１０は、上面に開口１０Ａを形成した箱型をなす。電槽１０は例えば合成樹脂製であり、槽内は、Ｘ方向に並ぶ５枚の隔壁２１により、６つのセル室５０に仕切られている。各セル室５０には、極板群３０が配置されている。極板群３０は、図３〜図５に示すように、正極板３１Ａと、負極板３１Ｂと、セパレータ３３とから構成されており、セル室５０の並び方向（Ｘ方向）に沿って配列されている。各極板３１Ａ、３１Ｂは、格子体に活物質が充填されて構成される。
【００１９】
本実施形態では、極板群３０を２枚−３枚構成にしている。正負の極板３１は、負極板３１Ｂ、正極板３１Ａ、負極板３１Ｂ、正極板３１Ａ、負極板３１Ｂの並びであり、両端に負極板３１Ｂが位置する。
【００２０】
セパレータ３３はガラス繊維製のマットセパレータであり、内部に含浸させることにより、電解液Ｑを保持することが出来る。セパレータ３３は、各極板３１Ａ、３１Ｂよりも大きく、両極板３１Ａ、３１Ｂ間に配置されている。セパレータ３３は電解液Ｑの保持と共に、両極板３１Ａ、３１Ｂを仕切る機能を果たす。
【００２１】
また、セパレータ３３は、セル室５０の奥行幅（Ｙ方向の幅）より大きく、電槽収容時には、セパレータ３３の両端部が、電槽側面壁１７の内面１７Ａに折れ重なって接触して、セル室５０の側方スペースＵ（極板３１の側方のスペース：図５参照）を隙間なく埋めるようになっている。密閉式鉛蓄電池１は、充放電反応により酸素ガスが発生することに伴って、電解液の一部が、セパレータ３３の保持を外れてフリーになる。しかしながら、セパレータ３３の両端部が、電槽側面壁１７に接触していることで、フリーになった電解液が、Ｙ方向の両側を流動するのを抑制することができる。密閉式鉛蓄電池１は、例えば、極板群３０の面方向と水平方向とが平行になるいわゆる横置きや傾いた姿勢のような、フリーになった電解液が蓋部材６０側に流動しやすい状況で使用されることが多く、上述したように、フリーになった電解液の流動を抑制することは効果的である。尚、電槽側面壁１７の内面１７Ａが、本発明の「前記電槽の前記並び方向（本例ではＸ方向）に沿った内側面」」の一例である。
【００２２】
また、各極板３１Ａ、３１Ｂの上部には、図４に示すように、ストラップ４０を接続するための耳部３２が設けられている。尚、極板３１Ａ、３１Ｂに対する耳部３２の形成位置は極性によって変えてあり、図４の例では、正極板３１Ａは図４の左側に耳部３２を設け、負極板３１Ｂは、図４の右側に耳部３２を設けている。
【００２３】
ストラップ４０は、図４に示すように上下方向（Ｚ方向）において、極板群３０の上方に位置している。ストラップ４０は極性ごとに設けられており、正極用のストラップ４０は、耳部３２を介して極板群３０の正極板３１Ａを連結し、負極用のストラップ４０は、耳部３２を介して極板群３０の負極板３１Ｂを連結する構造となっている。
【００２４】
また、各ストラップ４０のＸ方向の端部には、隔壁２１に対向するセル間接続体４３が設けられている。そして、図６に示すように、隔壁２１を間に挟んで向かい合う２つのセル間接続体４３を、電気溶接することにより、セル室５０に収容された各極板群３０は、隣接する極板群３０との間で、直列に接続される構造となっている。尚、図６に示すセル間接続体４３Ｐは、正極側のセル間接続体であり、セル間接続体４３Ｎは負極側のセル間接続体である。
【００２５】
そして、電槽１０の横幅方向の一方端に位置する正極用のストラップ４０と、電槽１０横幅方向の他方端に位置する負極用のストラップ４０にはそれぞれ極柱４５が溶接等により取り付けられている。これら正極側の極柱４５と負極側の極柱４５には、正極端子６５Ａと、負極端子６５Ｂがそれぞれ取り付けられている。
【００２６】
蓋部材６０は樹脂製であって、電槽１０を閉止可能な大きさとされ、電槽１０の上面を閉止する。蓋部材６０は、電槽１０に対して熱溶接等により、全周を溶着される。蓋部材６０のＸ方向両側には端子挿通孔６３Ａ、６３Ｂが開口しており、各端子挿通孔６３Ａ、６３Ｂには、正極端子６５Ａと負極端子６５Ｂが蓋部材６０を上下に貫通して組み付けられている。
【００２７】
２．隔壁２１の構造
密閉式鉛蓄電池１は、希硫酸等の電解液をセパレータ３３に保持する構造となっており、電槽１０内に流動液（電解液）がほとんど存在しない。そのため、極板３１（３１Ａ、３１Ｂの総称）が、電解液Ｑを保持したセパレータ３３と接触した状態を保つように、極板群３０を両側から圧迫しておく必要がある。
【００２８】
一方、電池の低コスト化などを目的として、極板３１の枚数を削減することがあるが、電槽１０のサイズを変えずに極板３１の枚数を削減すると、極板群３０を圧迫する力が小さくなってしまい、電池性能に影響を及ぼす。そのため、密閉式鉛蓄電池１では、隔壁２１の一部を、二重隔壁２３にして、各セル室５０をＸ方向について狭スペース化することで、空間を小さくして、極板群３０を圧迫する力を維持する構造としている。
【００２９】
具体的に説明すると、隔壁２１は、図６、図９に示すように、上部隔壁２２と二重隔壁２３とを備える。上部隔壁２２は平板状の隔壁である。上部隔壁２２には、ストラップ４０に設けられたセル間接続体４３を、電気溶接するための貫通孔２２Ａが形成されている。尚、上部隔壁２２が本発明の「接続用隔壁」の一例である。
【００３０】
二重隔壁２３は、一対の壁体２４Ｒ、２４Ｌを備えた隔壁である。一対の壁体２４Ｒ、２４Ｌは、図６に示すように、上部隔壁２２から二股状に分岐しており、セル室５０の内部空間を狭くするようにセル室５０側に迫り出している。一対の壁体２４Ｒ、２４Ｌは、Ｘ方向に平行に向かい合いつつ、電槽１０の底面に向かって真っ直ぐに延びており、更に、両間には電槽下面に開口する中空部２７が形成されている。尚、中空部２７を形成する理由は、電槽材料が少なく出来ることと、成形時に発生する材料の引け（表面の凹凸）を抑えることが出来るからである。
【００３１】
図６に示すように、電槽１０に形成された各５枚の隔壁２１はいずれも二重隔壁２３を設けた構造となっており、セル室５０に収容された極板群３０を、セル室５０の両側に位置する二重隔壁２３によって、Ｘ方向の両側から圧迫する構造となっている。
【００３２】
そして、二重隔壁２３はセル室５０の底面から極板３１の先端位置Ｐまで形成されていることから、セル室５０に収容された極板３１に対して、二重隔壁２３が、高さ方向（Ｚ方向）で、極板３１の全体に重なる構造となっている。そのため、二重隔壁２３により極板群３０の高さ方向の全体を圧迫できる。尚、「極板の高さ方向」とは、図４に示すように開口１０Ａを上に向けて電槽１０を設置した時の「極板の高さ方向」を示す。
【００３３】
加えて、二重隔壁２３は、図５に示すように極板３１よりも、横幅（Ｙ方向の幅）が広く設定されている。そのため、極板３１の高さ方向だけでなく、極板３１の横幅方向でも、二重隔壁２３が、セル室５０に収容された極板３１の全体に重なる構造になっている。すなわち、二重隔壁２３は極板３１の面全体と対向している。そのため、二重隔壁２３により極板群３０の面全体を圧迫できる。
【００３４】
また、二重隔壁２３の中空部２７には、連結壁２９が設けられている。連結壁２９は、図７に示すように、二重隔壁２３を構成する２枚の壁体２４Ｒ、２４Ｌの間において、Ｘ方向に延びる板状をなし、２枚の壁体２４Ｒ、２４Ｌを連結する。このように、２枚の壁体２４Ｒ、２４Ｌを連結壁２９で連結することにより、セル室５０に極板群３０を挿入した時に、両壁体２４Ｒ、２４Ｌが撓み難くなる。そのため、セル室５０に収容した極板群３０を、二重隔壁２３により、所望の圧迫量で確実に圧迫出来る。尚、連結壁２９は、極板３１の横幅方向（Ｙ方向）に、等間隔で形成されている。そのため、隔壁２１の撓みを、極板３１の横幅方向について均一に抑えることが出来る。また、連結壁２９が本発明の「連結部」の一例である。
【００３５】
また、各壁体２４（２４Ｒ、２４Ｌの総称）は、極板群３０との間に電解液Ｑの注入通路Ｓを有する。具体的に説明すると、図８に示すように、壁体２４のうち、極板群３０と対向する対向面には、リブ２５が形成されている。図９に示すように、リブ２５は、高さ方向（Ｚ方向）に沿った帯状をしており、壁体２４の全高に亘って形成されている。リブ２５は、壁体２４に対して２列形成されている。
【００３６】
上記リブ２５を設けることで、図８に示すように、壁体２４と極板群３０との間には、リブ２５の高さに相当する隙間が出来る。この隙間を設けることで、電槽１０に注入された電解液は、図１０に示すように、隙間を注入通路Ｓとして電槽下部に流れて行くので、極板群３０の上部付近に電解液Ｑが溜まることがなく、電解液Ｑの注入性が高まる。尚、電解液Ｑの注入通路Ｓは、電解液Ｑの注入性を維持出来ればよく、本例では、リブ２５を、必要最小限の高さ、一例として０．３ｍｍに設定している。
【００３７】
図６に戻って説明を続けると、電槽１０のうち、Ｘ方向両側の端面壁１１は、極板上端に対応する位置で、セル室５０側に曲げられている。セル室５０側に曲げられた内向壁１４は、二重隔壁２３とＸ方向に向かい合っている。この内向壁１４は、セル室５０に収容された極板群３０を二重隔壁２３と共に、Ｘ方向の両側から圧迫する機能を果たす。
【００３８】
そして、内向壁１４のうち、極板群３０の対向面には、リブ１５が形成されている。リブ１５は、壁体２４に形成されたリブ２５と同様、高さ方向（Ｚ方向）に沿った帯状をしており、内向壁１４の全高に亘って形成されている。リブ１５を設けることで、内向壁１４と極板群３０との間にも、電解液Ｑの流入通路Ｓを形成することが出来る。また、図１に示すように、内向壁１４の外面側には、高さ方向に沿って突条部１２が一定間隔で形成されており、電槽１０の端面壁１１を補強している。
【００３９】
３．効果
密閉式鉛蓄電池１は、隔壁２１のうち極板３１の全高に対応する範囲に、二重隔壁２３を設けている。そのため、二重隔壁２３が高さ方向で極板３１の全体に重なり、極板群３０をＸ方向の両側から圧迫する。従って、セパレータ３３が拡がり難くなり、極板３１に密着した状態を保つ。よって、極板３１がほとんど空気に触れなくなるので、負極板３１Ｂでの、陰極吸収反応を適正に保つことが可能となる。従って、電池性能を維持することが出来る。
【００４０】
しかも、本例では、二重隔壁２３の横幅（Ｙ方向の幅）を極板３１よりも広くしている。そのため、高さ方向だけでなく、横幅方向でも、二重隔壁２３が、極板３１の全体に重なる。従って、セパレータ３３が拡がり難くなり、極板３１に対して全面密着する状態を保つ。よって、極板３１が一層空気に触れなくなるので、負極板３１Ｂでの陰極吸収反応を適正に保つことが可能となる。加えて、極板３１と壁体２４との間も、面全体で隙間がほぼできない。そのため、極板３１が一層空気に触れ難くなるので、負極板３１Ｂでの陰極吸収反応を適正に保つことが可能となる。
【００４１】
また、密閉式鉛蓄電池１は、二重隔壁２３と極板群３０との間に、電解液Ｑの注入通路Ｓを設けている。そのため、製造時やユーザが、電槽１０内に電解液Ｑを充填する際、電解液Ｑが電槽内部に浸透し易く、注入性がよい。
【００４２】
さらに、密閉式鉛蓄電池１は、互いに隣接するセル間接続体４３同士を、上部隔壁２２を介して接続しており、中空部２７を介することなく互いに隣接するセル室同士を接続することができるため、密閉性を損ねることがない。
【００４３】
＜実施形態２＞
次に、実施形態２を図１１、図１２によって説明する。
実施形態１では、セル室５０の両側に位置する２枚の隔壁２１を、双方とも二重隔壁２３にして、セル室５０のＸ方向の空間を、両側の二重隔壁２３で分担して小さくする構造とした。
【００４４】
実施形態２は、セル室１５１〜１５６を仕切る５枚の隔壁１２１〜１２５に対して、１つ飛びで二重隔壁１３０を設けることにより、セル室１５２〜１５５の片側だけを二重隔壁１３０にして、セル室１５２〜１５５のＸ方向の空間を、片側の二重隔壁１３０だけで小さくする構造に変更している。
【００４５】
具体的に説明すると、実施形態２の電槽１１０は、実施形態１と同様に５枚の隔壁１２１〜１２５を備え、電槽１１０内を、６つのセル室１５１〜１５６に仕切る構造にしている。そして、５枚の隔壁１２１〜１２５のうち、１枚目の隔壁１２１、３枚目１２３の隔壁１２３、５枚目の隔壁１２５は平板状の隔壁とし、２枚目の隔壁１２２と、４枚目の隔壁１２４に対して、二重隔壁１３０を設ける構造にしている。
【００４６】
実施形態２のように、セル室５０のＸ方向の空間を、片側の二重隔壁１３０だけで小さくする構造の場合、二重隔壁１３０のオフセット量Ｆ１は、実施形態１のオフセット量の概ね２倍になる。そのため、中空部１３７の幅（Ｘ方向の幅）が広くすることが出来るので、電槽１１０が成形し易くなる。
【００４７】
尚、２枚目の隔壁１２２に形成した二重隔壁１３０で、Ｘ方向の空間を小さくすることが出来るのは、２番目のセル室１５２と３番目のセル室１５３であり、１番目のセル室１５１は、Ｘ方向の空間が小さくならない。また、同様、４枚目の隔壁１２４に形成した二重隔壁１３０で、Ｘ方向の空間を小さくすることが出来るのは、４番目のセル室１５４と５番目のセル室１５５であり、６番目のセル室１５６は、Ｘ方向の空間が小さくならない。そのため、実施形態２の電槽１１０も、実施形態１と同様に、Ｘ方向両側の端面壁１１１の一部を、セル室側に曲げて内向壁１１４を形成することにより、１番目と６番目のセル室１５１、１５６のＸ方向の空間を小さくする構造としている。
【００４８】
また、実施形態２の電槽１１０も、実施形態１と同様に、各隔壁１２１〜１２５のうち、極板群３０に対する対向面に、それぞれリブ１３５を設けている。そのため、各隔壁１２１〜１２５と極板群３０との間には、リブ１３５の高さに相当する隙間が出来る。以上のことから、実施形態１と同様、電槽１０に注入された電解液は、隙間を注入通路Ｓとして電槽下部に流れて行くので、極板群３０の上部付近に電解液Ｑが溜まることがなく、電解液Ｑの注入性が高まる。また、実施形態２の電装１１０は、実施形態１と同様、内向壁１１４にも、流入通路Ｓを形成するリブ１１５を設けてあるため、電解液Ｑの注入性がより一層高い。
【００４９】
＜実施形態３＞
次に、実施形態３を図１３ないし図１５によって説明する。
実施形態１では、二重隔壁２３の中空部２７を下抜き、すなわち電槽１０の底面に開口する構成とした。実施形態３では、二重隔壁２３０の中空部２７０を上抜き、すなわち電槽２１０の上面に開口する構成とする。
【００５０】
尚、中空部２７０を上抜きにした場合、図１５に示すように二重隔壁２３０を電槽上面まで形成する構造になるため、溶接対象となる２つのセル間接続体４３が離れ、セル間接続体４３を電気溶接出来なくなる。
【００５１】
そのため、実施形態３では、隔壁２２０の構造を、電気溶接エリアと、非電気溶接エリアで変えてあり、電気溶接エリアはシングル隔壁３３０とし、非電気溶接エリアは、二重隔壁２３０としている。尚、電気溶接エリアとは、２つのセル室５０間で、セル間接続体４３を電気溶接する範囲を意味している。例えば、図１３に示すように、右から１番目のセル室５０と２番目のセル室５０では、図１３に示す「Ｅ１」の間で、セル間接続体４３を電気溶接する。従って、セル間接続体４３に重なる「Ｅ１」の範囲が電気溶接エリアである。そして、「Ｅ１」を除くそれ以外の範囲、具体的には「Ｅ１」の両側に位置する範囲「Ｅ２」が非電気溶接エリアである。
【００５２】
以下、１番目と２番目のセル室５０を仕切る１番目の隔壁２２０を例にとって、隔壁２２０の構造を説明する。隔壁２２０のうち、非電気溶接エリアＥ２には、二重隔壁２３０が形成されている。二重隔壁２３０は、中空部２７０を間にして、Ｘ方向に向かう一対の壁体２４０Ｒ、２４０Ｌを備えた隔壁である。中空部２７０は電槽上面に開口している。二重隔壁２３０は、図１５に示すように、電槽２１０の全高に亘って形成されており、高さ方向で、セル室２５０に収容された極板群３０の全体に対向する構造となっている。
【００５３】
二重隔壁２３０は、図１４に示すように、連結壁２７０により、２枚の壁体２４０Ｒ、２４０Ｌを相互に連結しており、セル室５０に極板群３０を挿入した時に、両壁体２４Ｒ、２４Ｌが撓み難い構造になっている。
【００５４】
また、二重隔壁２３０のうち、極板群３０に対する対向面には、実施形態１や実施形態２と同様に、リブ２４５を設けている。そのため、二重隔壁２３０と極板群３０との間には、リブ２４５の高さに相当する隙間が出来る。従って、電槽１０に注入された電解液は、隙間を注入通路Ｓとして電槽下部に流れて行くので、極板群３０の上部付近に電解液Ｑが溜まることがなく、電解液Ｑの注入性が高まる。
【００５５】
シングル隔壁３３０は、セル間接続体４３を電気溶接できる程度の厚さをした、平板状の隔壁である。シングル隔壁３３０は、セル間接続体４３の接続位置に対応して貫通孔２２Ａを形成している。このシングル隔壁３３０は、二重隔壁２３０に比べて壁が薄いことから、極板群３０との間に隙間が出来る。そのため、図１４に示すように、シングル隔壁３２０は、極板群３０に対する対向面に、極板群３０側に突出する突条３３５を設けている。突条３３５は、図１５に示すように、セル室５０の底面から極板３１の先端まで形成されている。本例では、図１４に示すように、突条３３５を、Ｙ方向に２列形成しており、２本の突条３３５がセル室２５０に収容された極板群３０に対して全高に亘って対向する構造となっている。
【００５６】
＜他の実施形態＞
本発明は上記記述及び図面によって説明した実施形態に限定されるものではなく、例えば次のような実施形態も本発明の技術的範囲に含まれる。
【００５７】
（１）実施形態１〜３では、壁体２４のうち、極板３１の対向面に、リブ２５を形成することにより、注入通路Ｓを形成した例を示したが、図１６に示すように、壁体２４のうち、極板３１の対向面に、凹状の溝２６を形成することにより、注入通路を構成するようにしてもよい。
【００５８】
（２）実施形態２では、電槽１１０を仕切る５枚の隔壁１２１〜１２５のうち、１枚目の隔壁１２１、３枚目の隔壁１２３、５枚目の隔壁１２５は平板状の隔壁とし、２枚目の隔壁１２２と、４枚目の隔壁１２４に対して、二重隔壁１３０を設ける構造にした。これ以外にも、例えば、１枚目の隔壁１２１、３枚目の隔壁１２３、５枚目の隔壁１２５を二重隔壁１３０にする一方、２枚目の隔壁１２２と、４枚目の隔壁１２４を、平板状の隔壁にしてもよい。
【００５９】
（３）実施形態１〜３では、極板群３０を２枚−３枚構成にしたが、例えば３枚−４枚構成や３枚−３枚構成など、いかなる構成でもよい。また、極板の配列についても、実施形態の例に限定されるものではなく、例えば、正極板が、両端に位置するように配置することも可能である。
【００６０】
（４）実施形態１〜３では、二重隔壁２３を、高さ方向（Ｚ方向）で、極板３１の全体に形成したが、極板群３０が開かないように圧迫できればよく、二重隔壁２３は、高さ方向で、極板３１の略全体と重なっていればよい。また、横幅方向（Ｙ方向）についても同様であり、横幅方向で、極板３１の略全体と重なっていればよい。
【符号の説明】
【００６１】
１...密閉式鉛蓄電池
１０...電槽
２１...隔壁
２２...上部隔壁（接続用隔壁）
２３...二重隔壁
２４...壁体
２５...リブ
２７...中空部
２９...連結壁（連結部）
３０...極板群
３１Ａ...正極板
３１Ｂ...負極板
３３...セパレータ
５０...セル室
【図１】
2015069965.tif 000003
【図２】
2015069965.tif 000004
【図３】
2015069965.tif 000005
【図４】
2015069965.tif 000006
【図５】
2015069965.tif 000007
【図６】
2015069965.tif 000008
【図７】
2015069965.tif 000009
【図８】
2015069965.tif 000010
【図９】
2015069965.tif 000011
【図１０】
2015069965.tif 000012
【図１１】
2015069965.tif 000013
【図１２】
2015069965.tif 000014
【図１３】
2015069965.tif 000015
【図１４】
2015069965.tif 000016
【図１５】
2015069965.tif 000017
【図１６】
2015069965.tif 000018